(57)【特許請求の範囲】
【請求項１】
参照信号信号対雑音比（RS  SNR）レポート方法であって、
端末が、ユーザ性能メッセージをサービング基地局に送信するステップであって、前記ユーザ性能メッセージは、前記端末によるRS  SNRの測定、記録及びレポートの性能情報を搬送する、ステップと、
前記端末が、前記サービング基地局により前記ユーザ性能メッセージに従って送信された測定結果レポート命令メッセージを受信するステップと、
前記端末が、前記サービング基地局に、測定によって取得されたRS  SNRをレポートするステップと、
を含み、
前記RS  SNRは、参照信号（RS）を搬送するリソースエレメント（RE）上で受信される、ターゲット基地局によって送信されるRSの平均線形電力値の、前記RSを搬送する直交周波数分割多重（OFDM）シンボル上で受信される、少なくとも１つの非ターゲット基地局によって送信される信号の平均線形電力値の和に対する比である、
方法。
【請求項２】
前記ユーザ性能メッセージは、進化型ユニバーサル地上無線アクセスネットワーク（E-UTRAN）無線リソース制御（RRC）メッセージである、
請求項１に記載の方法。
【請求項３】
前記RS  SNRは、
前記サービング基地局によって送信される測定命令メッセージを受信するステップであって、前記測定命令メッセージは、前記端末とターゲット基地局との間の伝送リンクのRS  SNRを測定するように前記端末に指示する情報を搬送する、ステップと、
前記測定命令メッセージに従って、前記端末と前記ターゲット基地局との間の前記伝送リンクの前記RS  SNRを測定するステップと、
により、測定によって取得される、
請求項１又は２に記載の方法。
【請求項４】
前記端末と前記ターゲット基地局との間の前記伝送リンクの前記RS  SNRを測定する前記ステップの後に、更に、
前記サービング基地局に測定完了指示メッセージを送信するステップであって、前記測定完了指示メッセージは、前記端末と前記ターゲット基地局との間の前記伝送リンクの前記RS  SNRの測定が完了したことを示す情報を搬送する、ステップ、
を含む、請求項３に記載の方法。
【請求項５】
前記測定命令メッセージはログ測定構成メッセージであり、前記測定完了指示メッセージはRRC接続再構成完了メッセージである、
請求項４に記載の方法。
【請求項６】
前記測定結果レポート命令メッセージは、前記端末によってレポートされる前記RS  SNRについての情報を搬送し、
前記端末によってレポートされる前記RS  SNRについての前記情報は、前記端末によってレポートされる全ての測定値についての情報に含まれ、前記全ての測定値は少なくとも前記RS  SNRの測定値を含み、又は、
前記端末によってレポートされる前記RS  SNRについての前記情報は、前記端末によってレポートされる指定の測定値についての情報に含まれ、前記指定の測定値は少なくとも前記RS  SNRの測定値を含む、
請求項１乃至４のいずれか一項に記載の方法。
【請求項７】
前記測定結果レポート命令メッセージは、RRCユーザ情報要求メッセージである、
請求項１乃至６のいずれか一項に記載の方法。
【請求項８】
前記サービング基地局に測定によって取得されたRS  SNRをレポートする前記ステップは、
前記サービング基地局に、測定によって取得された前記RS  SNRを搬送するRRCユーザ情報フィードバックメッセージをレポートするステップ、
を含む、請求項１乃至７のいずれか一項に記載の方法。
【請求項９】
前記RS  SNRは、前記サービング基地局のサービングセルのRS  SNRであり、又は、
前記RS  SNRは、前記サービング基地局のサービングセルの１次サービングセルのRS  SNR、若しくは前記サービング基地局のサービングセルの２次サービングセルのRS  SNRであり、又は、
前記RS  SNRは、前記サービング基地局のサービングセルの周波数内サービングセルのRS  SNR、若しくは前記サービング基地局のサービングセルの周波数間サービングセルのRS  SNRである、
請求項１乃至８のいずれか一項に記載の方法。
【請求項１０】
参照信号信号対雑音比（RS  SNR）受信方法であって、
基地局が、端末によって送信されるユーザ性能メッセージを受信するステップであって、前記ユーザ性能メッセージは、前記端末によるRS  SNRの測定、記録及びレポートの性能情報を搬送する、ステップと、
前記基地局が、前記ユーザ性能メッセージに基づいて、前記端末に測定結果レポート命令メッセージを送信するステップと、
前記基地局が、前記端末により前記測定結果レポート命令メッセージに従ってレポートされる、測定によって取得されたRS  SNRを受信するステップと、
を含み、
前記RS  SNRは、参照信号（RS）を搬送するリソースエレメント（RE）上で受信される、ターゲット基地局によって送信されるRSの平均線形電力値の、前記RSを搬送する直交周波数分割多重（OFDM）シンボル上で受信される、少なくとも１つの非ターゲット基地局によって送信される信号の平均線形電力値の和に対する比である、
方法。
【請求項１１】
前記ユーザ性能メッセージは、進化型ユニバーサル地上無線アクセスネットワーク（E-UTRAN）無線リソース制御（RRC）メッセージである、
請求項１０に記載の方法。
【請求項１２】
前記端末によってレポートされる、少なくとも測定によって取得されるRS  SNRを受信する前記ステップの前に、
前記端末に測定命令メッセージを送信して、前記端末に、前記測定命令メッセージに従って前記端末とターゲット基地局との間の伝送リンクのRS  SNRを測定するように指示するステップ、
を更に含み、
前記測定命令メッセージは、少なくとも、前記端末と前記ターゲット基地局との間の前記伝送リンクの前記RS  SNRを測定するように前記端末に指示する情報を搬送する、
請求項１０又は１１に記載の方法。
【請求項１３】
前記端末に測定命令メッセージを送信する前記ステップの後に、
前記端末によって送信される測定完了指示メッセージを受信するステップであって、前記測定完了指示メッセージは、少なくとも、前記端末と前記ターゲット基地局との間の前記伝送リンクの前記RS  SNRの測定が完了したことを示す情報を搬送するステップ、
を更に含む、請求項１２に記載の方法。
【請求項１４】
前記測定命令メッセージはログ測定構成メッセージであり、前記測定完了指示メッセージはRRC接続再構成完了メッセージである、
請求項１３に記載の方法。
【請求項１５】
前記測定結果レポート命令メッセージは、少なくとも、前記端末によってレポートされる前記RS  SNRについての情報を搬送し、
前記端末によってレポートされる前記RS  SNRについての前記情報は、前記端末によってレポートされる全ての測定値についての情報に含まれ、前記全ての測定値は少なくとも前記RS  SNRの測定値を含み、又は、
前記端末によってレポートされる前記RS  SNRについての前記情報は、前記端末によってレポートされる指定の測定値についての情報に含まれ、前記指定の測定値は少なくとも前記RS  SNRの測定値を含む、
請求項１０乃至１３のいずれか一項に記載の方法。
【請求項１６】
前記測定結果レポート命令メッセージは、RRCメッセージユーザ情報要求メッセージである、
請求項１０乃至１５のいずれか一項に記載の方法。
【請求項１７】
前記端末によってレポートされる、少なくとも測定によって取得されるRS  SNRを受信する前記ステップは、
前記端末によってレポートされる、少なくとも前記測定によって取得されたRS  SNRを搬送するRRCユーザ情報フィードバックメッセージを受信するステップ、
を含む、請求項１０乃至１６のいずれか一項に記載の方法。
【請求項１８】
前記RS  SNRは、サービング基地局のサービングセルのRS  SNRであり、又は、
前記RS  SNRは、前記サービング基地局のサービングセルの１次サービングセルのRS  SNR、若しくは前記サービング基地局のサービングセルの２次サービングセルのRS  SNRであり、又は
前記RS  SNRは、前記サービング基地局のサービングセルの周波数内サービングセルのRS  SNR、若しくは前記サービング基地局のサービングセルの周波数間サービングセルのRS
SNRである、
請求項１０乃至１７のいずれか一項に記載の方法。
【請求項１９】
参照信号信号対雑音比（RS  SNR）レポート装置であって、
サービング基地局にユーザ性能メッセージを送信するように構成される送信ユニットであって、前記ユーザ性能メッセージは、端末によるRS  SNRの測定、記録及びレポートの性能情報を搬送する、送信ユニットと、
前記サービング基地局により前記ユーザ性能メッセージに従って送信された測定結果レポート命令メッセージを受信するように構成される受信ユニットと、
前記サービング基地局に、測定によって取得されたRS  SNRをレポートするように構成されるレポートユニットと、
を備え、
前記レポートユニットによってレポートされる前記RS  SNRは、参照信号（RS）を搬送するリソースエレメント（RE）上で受信される、ターゲット基地局によって送信されるRSの平均線形電力値の、前記RSを搬送する直交周波数分割多重（OFDM）シンボル上で受信される、少なくとも１つの非ターゲット基地局によって送信される信号の平均線形電力値の和に対する比である、
装置。
【請求項２０】
前記送信ユニットによって送信される前記ユーザ性能メッセージは、進化型ユニバーサル地上無線アクセスネットワーク（E-UTRAN）無線リソース制御（RRC）メッセージである、
請求項１９に記載の装置。
【請求項２１】
測定ユニットを更に備え、前記測定ユニットは、
前記サービング基地局によって送信される測定命令メッセージを受信する工程であって、前記測定命令メッセージは、前記端末とターゲット基地局との間の伝送リンクのRS  SNRを測定するように前記端末に指示する情報を搬送する、工程と、
前記測定命令メッセージに従って、前記端末と前記ターゲット基地局との間の前記伝送リンクの前記RS  SNRを測定する工程と、
により、測定によって前記RS  SNRを取得するように構成される、
請求項１９乃至２０のいずれか一項に記載の装置。
【請求項２２】
前記測定ユニットは更に、前記サービング基地局に測定完了指示メッセージを送信するように構成され、
前記測定完了指示メッセージは、前記端末と前記ターゲット基地局との間の前記伝送リンクの前記RS  SNRの測定が完了したことを示す情報を搬送する、
請求項２１に記載の装置。
【請求項２３】
前記測定ユニットによって受信される前記測定命令メッセージはログ測定構成メッセージであり、前記測定ユニットによって送信される前記測定完了指示メッセージは、RRC接続再構成完了メッセージである、
請求項２２に記載の装置。
【請求項２４】
前記受信ユニットによって受信される前記測定結果レポート命令メッセージは、前記端末によってレポートされる前記RS  SNRについての情報を搬送し、
前記端末によってレポートされる前記RS  SNRについての前記情報は、前記端末によってレポートされる全ての測定値についての情報に含まれ、前記全ての測定値は少なくとも前記RS  SNRの測定値を含み、又は、
前記端末によってレポートされる前記RS  SNRについての前記情報は、前記端末によってレポートされる指定の測定値についての情報に含まれ、前記指定の測定値は少なくとも前記RS  SNRの測定値を含む、
請求項１９乃至２２のいずれか一項に記載の装置。
【請求項２５】
前記受信ユニットによって受信される前記測定結果レポート命令メッセージは、RRCユーザ情報要求メッセージである、
請求項１９乃至２４のいずれか一項に記載の装置。
【請求項２６】
前記レポートユニットは、
前記サービング基地局に、測定によって取得された前記RS  SNRを搬送するRRCユーザ情報フィードバックメッセージをレポートするように構成される、
請求項１９乃至２５のいずれか一項に記載の装置。
【請求項２７】
前記レポートユニットによってレポートされる前記RS  SNRは、前記サービング基地局のサービングセルのRS  SNRであり、又は、
前記RS  SNRは、前記サービング基地局のサービングセルの１次サービングセルのRS  SNR、若しくは前記サービング基地局のサービングセルの２次サービングセルのRS  SNRであり、又は、
前記RS  SNRは、前記サービング基地局のサービングセルの周波数内サービングセルのRS  SNR、若しくは前記サービング基地局のサービングセルの周波数間サービングセルのRS  SNRである、
請求項１９乃至２６のいずれか一項に記載の装置。
【請求項２８】
参照信号信号対雑音比（RS  SNR）受信装置であって、
端末によって送信されるユーザ性能メッセージを受信するように構成される第１の受信ユニットであって、前記ユーザ性能メッセージは、前記端末によるRS  SNRの測定、記録及びレポートの性能情報を搬送する、第１の受信ユニットと、
前記ユーザ性能メッセージに基づいて、前記端末に測定結果レポート命令メッセージを送信するように構成される送信ユニットと、
前記端末により前記測定結果レポート命令メッセージに従ってレポートされる、測定によって取得されたRS  SNRを受信するように構成される第２の受信ユニットと、
を備え、
前記第２の受信ユニットによって受信される前記RS  SNRは、参照信号（RS）を搬送するリソースエレメント（RE）上で受信される、ターゲット基地局によって送信されるRSの平均線形電力値の、前記RSを搬送する直交周波数分割多重（OFDM）シンボル上で受信される、少なくとも１つの非ターゲット基地局によって送信される信号の平均線形電力値の和に対する比である、
装置。
【請求項２９】
前記第１の受信ユニットによって受信される前記ユーザ性能メッセージは、進化型ユニバーサル地上無線アクセスネットワーク（E-UTRAN）無線リソース制御（RRC）メッセージである、
請求項２８に記載の装置。
【請求項３０】
前記送信ユニットは更に、
前記端末に測定命令メッセージを送信して、前記端末に、前記測定命令メッセージに従って前記端末とターゲット基地局との間の伝送リンクのRS  SNRを測定するように指示するように構成され、
前記測定命令メッセージは、少なくとも、前記端末と前記ターゲット基地局との間の前記伝送リンクの前記RS  SNRを測定するように前記端末に指示する情報を搬送する、
請求項２８乃至２９のいずれか一項に記載の装置。
【請求項３１】
前記第２の受信ユニットは更に、前記端末によって送信される測定完了指示メッセージを受信するように構成され、
前記測定完了指示メッセージは、少なくとも、前記端末と前記ターゲット基地局との間の前記伝送リンクの前記RS  SNRの測定が完了したことを示す情報を搬送する、
請求項３０に記載の装置。
【請求項３２】
前記送信ユニットによって送信される前記測定命令メッセージはログ測定構成メッセージであり、前記第２の受信ユニットによって受信される前記測定完了指示メッセージは、RRC接続再構成完了メッセージである、
請求項３１に記載の装置。
【請求項３３】
前記送信ユニットによって送信される前記測定結果レポート命令メッセージは、少なくとも、前記端末によってレポートされる前記RS  SNRについての情報を搬送し、
前記端末によってレポートされる前記RS  SNRについての前記情報は、前記端末によってレポートされる全ての測定値についての情報に含まれ、前記全ての測定値は少なくとも前記RS  SNRの測定値を含み、又は、
前記端末によってレポートされる前記RS  SNRについての前記情報は、前記端末によってレポートされる指定の測定値についての情報に含まれ、前記指定の測定値は少なくとも前記RS  SNRの測定値を含む、
請求項２８乃至３１のいずれか一項に記載の装置。
【請求項３４】
前記送信ユニットによって送信される前記測定結果レポート命令メッセージは、RRCメッセージユーザ情報要求メッセージである、
請求項２８乃至３３のいずれか一項に記載の装置。
【請求項３５】
前記第２の受信ユニットは、
前記端末によってレポートされる、少なくとも前記測定によって取得されたRS  SNRを搬送するRRCユーザ情報フィードバックメッセージを受信するように構成される、
請求項２８乃至３４のいずれか一項に記載の装置。
【請求項３６】
前記第２の受信ユニットによって受信される前記RS  SNRは、サービング基地局のサービングセルのRS  SNRであり、又は、
前記RS  SNRは、前記サービング基地局のサービングセルの１次サービングセルのRS  SNR、若しくは前記サービング基地局のサービングセルの２次サービングセルのRS  SNRであり、又は、
前記RS  SNRは、前記サービング基地局のサービングセルの周波数内サービングセルのRS  SNR、若しくは前記サービング基地局のサービングセルの周波数間サービングセルのRS  SNRである、
請求項２８乃至３５のいずれか一項に記載の装置。
【請求項３７】
コンピュータに請求項１乃至１８のいずれか一項に記載の方法を実行させるプログラム。
【請求項３８】
請求項３７に記載のプログラムを記憶した非一時的コンピュータ可読記憶媒体。
【発明の詳細な説明】
【技術分野】
【０００１】
本発明は通信技術分野に関し、特に、RS  SNRのレポート及び受信の方法、端末並びに基地局に関する。
【背景技術】
【０００２】
通信技術の発展に伴い、モバイル通信システムでは高いデータ伝送速度と高いサービスのカバー率が極めて重要になっている。モバイル通信システムのデータ伝送速度とサービスカバレッジ率を増大させるために、QoS（Quality  of  Service，サービス品質）要件を満たす無線通信リンク品質をユーザに提供するように、ネットワーク上で常にネットワークの最適化を実行する必要がある。
【０００３】
ユーザ端末の測定値は、無線通信リンク品質を直接反映するための重要なパラメータである。LTE（Local  Terminal  Emulator，Long  Term  Evolution）システムでは、RRM（Radio  Resource  Management，無線リソース管理）に使用される現在導入されている測定値は、主にRSRP（Reference  Signal  Received  Power，参照信号受信電力）とRSRQ（Reference  Signal  Received  Quality，参照信号受信品質）を含む。RSRPの物理的意味は、セル固有参照信号を搬送するRE（Resource  Element，リソースエレメント）上で受信される、測定帯域幅におけるセル固有参照信号の平均線形電力値である。RSRQの物理的意味は、測定帯域幅における、セル固有参照信号を搬送するOFDM（Orthogonal  Frequency  Division  Multiplexing，直交周波数分割多重）シンボル上の全ての計算された受信電力（所望の信号の電力和、干渉、騒音を含む）である。電力和はRSSI（Received  Signal  Strength  Indicator，受信信号強度インジケータ）を用いて表される。RSSIに対するRSRPの比は、全ての受信電力に対する所望の信号の比を表し、間接的に無線通信リンク品質を反映する。
【０００４】
実際の適用では、LTEシステムでは、UE（User  Equipment、ユーザイクイップメント）は、サービングセル、周波数内隣接セル及び周波数間隣接セルのRSRPとRSRQに従って、切り替え、セル選択、セル再選択等のモビリティ判定を行う。
【０００５】
しかしながら、実際のネットワーク計画とネットワーク最適化では、RSRPとRSRQはダウンリンク又はアップリンク伝送リンク品質を本当に反映することはできない。したがって、RSRPとRSRQに従って決定される伝送リンク品質は、誤差が大きく精度が低い。
【発明の概要】
【０００６】
本発明の実施形態は、決定された伝送リンク品質が誤差が大きくあり精度が低いという従来技術の問題を解決するために、RS  SNRのレポート及び受信の方法、端末並びに基地局を提供する。
【０００７】
本発明の実施形態で提供される具体的な技術的解決策は、以下のとおりである。
【０００８】
第１の態様によれば、参照信号信号対雑音比（RS  SNR）レポート方法が提供される。本方法は、
ユーザ性能メッセージをサービング基地局に送信するステップであって、ユーザ性能メッセージは、端末によるRS  SNRの測定、記録及びレポートの性能情報を搬送する、ステップと、
サービング基地局がユーザ性能メッセージに従って送信した測定結果レポート命令メッセージを受信するステップと、
サービング基地局に、測定によって取得されたRS  SNRをレポートするステップと、
を含む。
【０００９】
第１の態様に関して、第１の可能な実施方式では、RS  SNRは、参照信号（RS）を搬送するリソースエレメント（RE）上で受信される、ターゲット基地局によって送信されるRSの平均線形電力値の、RSを搬送する直交周波数分割多重（OFDM）シンボル上で受信される、少なくとも１つの非ターゲット基地局によって送信される信号の平均線形電力値の和に対する比である。
【００１０】
第１の態様又は第１の態様の第１の可能な実施方式に関して、第２の可能な実施方式では、ユーザ性能メッセージは、進化型ユニバーサル地上無線ネットワーク（E-UTRAN）無線リソース制御（RRC）メッセージである。
【００１１】
第１の態様又は第１の態様の第１及び第２の可能な実施方式に関して、第３の可能な実施方式では、RS  SNRは、
サービング基地局によって送信される測定命令メッセージを受信するステップであって、測定命令メッセージは、端末とターゲット基地局との間の伝送リンクのRS  SNRを測定するように端末に指示する情報を搬送する、ステップと、
測定命令メッセージに従って、端末とターゲット基地局との間の伝送リンクのRS  SNRを測定するステップと、
により、測定によって取得される。
【００１２】
第１の態様の第３の可能な実施方式に関して、第４の可能な実施方式では、端末とターゲット基地局との間の伝送リンクのRS  SNRを測定するステップの後に、本方法は更に、
サービング基地局に測定完了指示メッセージを送信するステップであって、測定完了指示メッセージは、端末とターゲット基地局との間の伝送リンクのRS  SNRの測定が完了したことを示す情報を搬送する、ステップ、
を含む。
【００１３】
第１の態様の第３又は第４の可能な実施方式に関して、第５の可能な実施方式では、測定命令メッセージはログ測定構成メッセージであり、測定完了指示メッセージはRRC接続再構成完了メッセージである。
【００１４】
第１の態様又は第１の態様の第１〜第４の可能な実施方式に関して、第６の可能な実施方式では、測定結果レポート命令メッセージは、端末によってレポートされるRS  SNRについての情報を搬送し、
端末によってレポートされるRS  SNRについての情報は、端末によってレポートされる全ての測定値についての情報に含まれ、全ての測定値は少なくともRS  SNRの測定値を含み、又は、
端末によってレポートされるRS  SNRについての情報は、端末によってレポートされる指定の測定値についての情報に含まれ、指定の測定値は少なくともRS  SNRの測定値を含む。
【００１５】
第１の態様又は第１の態様の第１〜第６の可能な実施方式に関して、第７の可能な実施方式では、測定結果レポート命令メッセージは、RRCユーザ情報要求メッセージである。
【００１６】
第１の態様又は第１の態様の第１〜第７の可能な実施方式に関して、第８の可能な実施方式では、サービング基地局に測定によって取得されたRS  SNRをレポートするステップは、具体的には、
サービング基地局に、測定によって取得されたRS  SNRを搬送するRRCユーザ情報フィードバックメッセージをレポートするステップ、
を含む。
【００１７】
第１の態様又は第１の態様の第１〜第８の可能な実施方式に関して、第９の可能な実施方式では、RS  SNRは、サービング基地局のサービングセルのRS  SNRであり、又は、
RS  SNRは、サービング基地局のサービングセルの１次サービングセルのRS  SNR、若しくはサービング基地局のサービングセルの２次サービングセルのRS  SNRであり、又は、
RS  SNRは、サービング基地局のサービングセルの周波数内サービングセルのRS  SNR、若しくはサービング基地局のサービングセルの周波数間サービングセルのRS  SNRである。
【００１８】
第２の態様によれば、参照信号信号対雑音比（RS  SNR）受信方法が提供される。本方法は、
端末によって送信されるユーザ性能メッセージを受信するステップであって、ユーザ性能メッセージは、端末によるRS  SNRの測定、記録及びレポートの性能情報を搬送する、ステップと、
ユーザ性能メッセージに基づいて、端末に測定結果レポート命令メッセージを送信するステップと、
端末により測定結果レポート命令メッセージに従ってレポートされる、測定によって取得されたRS  SNRを受信するステップと、
を含む。
【００１９】
第２の態様に関して、第１の可能な実施方式では、RS  SNRは、参照信号（RS）を搬送するリソースエレメント（RE）上で受信される、ターゲット基地局によって送信されるRSの平均線形電力値の、RSを搬送する直交周波数分割多重（OFDM）シンボル上で受信される、少なくとも１つの非ターゲット基地局によって送信される信号の平均線形電力値の和に対する比である。
【００２０】
第２の態様又は第２の態様の第１の可能な実施方式に関して、第２の可能な実施方式では、ユーザ性能メッセージは、進化型ユニバーサル地上無線ネットワーク（E-UTRAN）無線リソース制御（RRC）メッセージである。
【００２１】
第２の態様又は第２の態様の第１及び第２の可能な実施方式に関して、第３の可能な実施方式では、端末によってレポートされる、少なくとも測定によって取得されるRS  SNRを受信するステップの前に、本方法は更に、
端末に測定命令メッセージを送信して、端末に、測定命令メッセージに従って端末とターゲット基地局との間の伝送リンクのRS  SNRを測定するように指示するステップ、
を含み、
測定命令メッセージは、少なくとも、端末とターゲット基地局との間の伝送リンクのRS  SNRを測定するように端末に指示する情報を搬送する。
【００２２】
第２の態様の第３の可能な実施方式に関して、第４の可能な実施方式では、端末に測定命令メッセージを送信するステップの後に、本方法は更に、
端末によって送信される測定完了指示メッセージを受信するステップであって、測定完了指示メッセージは、少なくとも、端末とターゲット基地局との間の伝送リンクのRS  SNRの測定が完了したことを示す情報を搬送する、ステップ、
を含む。
【００２３】
第２の態様の第３又は第４の可能な実施方式に関して、第５の可能な実施方式では、測定命令メッセージはログ測定構成メッセージであり、測定完了指示メッセージはRRC接続再構成完了メッセージである。
【００２４】
第２の態様又は第２の態様の第１〜第４の可能な実施方式に関して、第６の可能な実施方式では、測定結果レポート命令メッセージは、少なくとも、端末によってレポートされるRS  SNRについての情報を搬送し、
端末によってレポートされるRS  SNRについての情報は、端末によってレポートされる全ての測定値についての情報に含まれ、全ての測定値は少なくともRS  SNRの測定値を含み、又は、
端末によってレポートされるRS  SNRについての情報は、端末によってレポートされる指定の測定値についての情報に含まれ、指定の測定値は少なくともRS  SNRの測定値を含む。
【００２５】
第２の態様又は第２の態様の第１〜第６の可能な実施方式に関して、第７の可能な実施方式では、測定結果レポート命令メッセージは、RRCメッセージユーザ情報要求メッセージである。
【００２６】
第２の態様又は第２の態様の第１〜第７の可能な実施方式に関して、第８の可能な実施方式では、端末によってレポートされる、少なくとも測定によって取得されるRS  SNRを受信するステップは、具体的には、
端末によってレポートされる、少なくとも測定によって取得されたRS  SNRを搬送するRRCユーザ情報フィードバックメッセージを受信するステップ、
を含む。
【００２７】
第２の態様又は第２の態様の第１〜第８の可能な実施方式に関して、第９の可能な実施方式では、RS  SNRは、サービング基地局のサービングセルのRS  SNRであり、又は、
RS  SNRは、サービング基地局のサービングセルの１次サービングセルのRS  SNR、若しくはサービング基地局のサービングセルの２次サービングセルのRS  SNRであり、又は、
RS  SNRは、サービング基地局のサービングセルの周波数内サービングセルのRS  SNR、若しくはサービング基地局のサービングセルの周波数間サービングセルのRS  SNRである。
【００２８】
第３の態様によれば、参照信号信号対雑音比（RS  SNR）レポート装置が提供される。本装置は、
サービング基地局にユーザ性能メッセージを送信するように構成される送信ユニットであって、ユーザ性能メッセージは、端末によるRS  SNRの測定、記録及びレポートの性能情報を搬送する、送信ユニットと、
サービング基地局がユーザ性能メッセージに従って送信した測定結果レポート命令メッセージを受信するように構成される受信ユニットと、
サービング基地局に、測定によって取得されたRS  SNRをレポートするように構成されるレポートユニットと、
を備える。
【００２９】
第３の態様に関して、第１の可能な実施方式では、レポートユニットによってレポートされるRS  SNRは、参照信号（RS）を搬送するリソースエレメント（RE）上で受信される、ターゲット基地局によって送信されるRSの平均線形電力値の、RSを搬送する直交周波数分割多重（OFDM）シンボル上で受信される、少なくとも１つの非ターゲット基地局によって送信される信号の平均線形電力値の和に対する比である。
【００３０】
第３の態様又は第３の態様の第１の可能な実施方式に関して、第２の可能な実施方式では、送信ユニットによって送信されるユーザ性能メッセージは、進化型ユニバーサル地上無線ネットワーク（E-UTRAN）無線リソース制御（RRC）メッセージである。
【００３１】
第３の態様又は第３の態様の第１及び第２の可能な実施方式に関して、第３の可能な実施方式では、本装置は更に測定ユニットを備える。測定ユニットは、
サービング基地局によって送信される測定命令メッセージを受信する工程であって、測定命令メッセージは、端末とターゲット基地局との間の伝送リンクのRS  SNRを測定するように端末に指示する情報を搬送する、工程と、
測定命令メッセージに従って、端末とターゲット基地局との間の伝送リンクのRS  SNRを測定する工程と、
により、測定によってRS  SNRを取得するように構成される。
【００３２】
第３の態様の第３の可能な実施方式に関して、第４の可能な実施方式では、測定ユニットは更に、
サービング基地局に測定完了指示メッセージを送信するように構成される。測定完了指示メッセージは、端末とターゲット基地局との間の伝送リンクのRS  SNRの測定が完了したことを示す情報を搬送する。
【００３３】
第３の態様の第３又は第４の可能な実施方式に関して、第５の可能な実施方式では、測定ユニットによって受信される測定命令メッセージはログ測定構成メッセージであり、測定ユニットによって送信される測定完了指示メッセージは、RRC接続再構成完了メッセージである。
【００３４】
第３の態様又は第３の態様の第１〜第４の可能な実施方式に関して、第６の可能な実施方式では、受信ユニットによって受信される測定結果レポート命令メッセージは、端末によってレポートされるRS  SNRについての情報を搬送し、
端末によってレポートされるRS  SNRについての情報は、端末によってレポートされる全ての測定値についての情報に含まれ、全ての測定値は少なくともRS  SNRの測定値を含み、又は、
端末によってレポートされるRS  SNRについての情報は、端末によってレポートされる指定の測定値についての情報に含まれ、指定の測定値は少なくともRS  SNRの測定値を含む。
【００３５】
第３の態様又は第３の態様の第１〜第６の可能な実施方式に関して、第７の可能な実施方式では、受信ユニットによって受信される測定結果レポート命令メッセージは、RRCユーザ情報要求メッセージである。
【００３６】
第３の態様又は第３の態様の第１〜第７の可能な実施方式に関して、第８の可能な実施方式では、レポートユニットは、具体的には、
サービング基地局に、測定によって取得されたRS  SNRを搬送するRRCユーザ情報フィードバックメッセージをレポートするように構成される。
【００３７】
第３の態様又は第３の態様の第１〜第８の可能な実施方式に関して、第９の可能な実施方式では、レポートユニットによってレポートされるRS  SNRは、サービング基地局のサービングセルのRS  SNRであり、又は、
RS  SNRは、サービング基地局のサービングセルの１次サービングセルのRS  SNR、若しくはサービング基地局のサービングセルの２次サービングセルのRS  SNRであり、又は、
RS  SNRは、サービング基地局のサービングセルの周波数内サービングセルのRS  SNR、若しくはサービング基地局のサービングセルの周波数間サービングセルのRS  SNRである。
【００３８】
第４の態様によれば、参照信号信号対雑音比（RS  SNR）受信装置が提供される。本装置は、
端末によって送信されるユーザ性能メッセージを受信するように構成される第１の受信ユニットであって、ユーザ性能メッセージは、端末によるRS  SNRの測定、記録及びレポートの性能情報を搬送する、第１の受信ユニットと、
ユーザ性能メッセージに基づいて、端末に測定結果レポート命令メッセージを送信するように構成される送信ユニットと、
端末により測定結果レポート命令メッセージに従ってレポートされる、測定によって取得されたRS  SNRを受信するように構成される第２の受信ユニットと、
を備える。
【００３９】
第２の態様に関して、第１の可能な実施方式では、第２の受信ユニットによって受信されるRS  SNRは、参照信号（RS）を搬送するリソースエレメント（RE）上で受信される、ターゲット基地局によって送信されるRSの平均線形電力値の、RSを搬送する直交周波数分割多重（OFDM）シンボル上で受信される、少なくとも１つの非ターゲット基地局によって送信される信号の平均線形電力値の和に対する比である。
【００４０】
第２の態様又は第２の態様の第１の可能な実施方式に関して、第２の可能な実施方式では、第１の受信ユニットによって受信されるユーザ性能メッセージは、進化型ユニバーサル地上無線ネットワーク（E-UTRAN）無線リソース制御（RRC）メッセージである。
【００４１】
第２の態様又は第２の態様の第１及び第２の可能な実施方式に関して、第３の可能な実施方式では、送信ユニットは更に、
端末に測定命令メッセージを送信して、端末に、測定命令メッセージに従って端末とターゲット基地局との間の伝送リンクのRS  SNRを測定するように指示するように構成され、
測定命令メッセージは、少なくとも、端末とターゲット基地局との間の伝送リンクのRS  SNRを測定するように端末に指示する情報を搬送する。
【００４２】
第２の態様の第３の可能な実施方式に関して、第４の可能な実施方式では、第２の受信ユニットは更に、
端末によって送信される測定完了指示メッセージを受信するように構成され、測定完了指示メッセージは、少なくとも、端末とターゲット基地局との間の伝送リンクのRS  SNRの測定が完了したことを示す情報を搬送する。
【００４３】
第２の態様の第３又は第４の可能な実施方式に関して、第５の可能な実施方式では、送信ユニットによって送信される測定命令メッセージはログ測定構成メッセージであり、第２の受信ユニットによって受信される測定完了指示メッセージは、RRC接続再構成完了メッセージである。
【００４４】
第２の態様又は第２の態様の第１〜第４の可能な実施方式に関して、第６の可能な実施方式では、送信ユニットによって送信される測定結果レポート命令メッセージは、少なくとも、端末によってレポートされるRS  SNRについての情報を搬送し、
端末によってレポートされるRS  SNRについての情報は、端末によってレポートされる全ての測定値についての情報に含まれ、全ての測定値は少なくともRS  SNRの測定値を含み、又は、
端末によってレポートされるRS  SNRについての情報は、端末によってレポートされる指定の測定値についての情報に含まれ、指定の測定値は少なくともRS  SNRの測定値を含む。
【００４５】
第２の態様又は第２の態様の第１〜第６の可能な実施方式に関して、第７の可能な実施方式では、送信ユニットによって送信される測定結果レポート命令メッセージは、RRCメッセージユーザ情報要求メッセージである。
【００４６】
第２の態様又は第２の態様の第１〜第７の可能な実施方式に関して、第８の可能な実施方式では、第２の受信ユニットは、具体的には、
端末によってレポートされる、少なくとも測定によって取得されたRS  SNRを搬送するRRCユーザ情報フィードバックメッセージを受信するように構成される。
【００４７】
第２の態様又は第２の態様の第１〜第８の可能な実施方式に関して、第９の可能な実施方式では、第２の受信ユニットによって受信されるRS  SNRは、サービング基地局のサービングセルのRS  SNRであり、又は、
RS  SNRは、サービング基地局のサービングセルの１次サービングセルのRS  SNR、若しくはサービング基地局のサービングセルの２次サービングセルのRS  SNRであり、又は、
RS  SNRは、サービング基地局のサービングセルの周波数内サービングセルのRS  SNR、若しくはサービング基地局のサービングセルの周波数間サービングセルのRS  SNRである。
【００４８】
本発明の有益な効果は以下のとおりである。
【００４９】
従来技術では、ネットワークを最適化するように、RSRPとRSRQに従って伝送リンク品質が決定される。しかしながら、RSRPとRSRQは、ダウンリンク又はアップリンク伝送リンク品質を本当に反映することはできない。したがって、RSRPとRSRQに従って決定される伝送リンク品質は、誤差が大きく精度が低い。本発明の実施形態では、端末がサービング基地局にユーザ性能メッセージを送信する。ユーザ性能メッセージは、端末によるRS（Reference  Signal、参照信号）SNR（Signal  to  Noise  Ratio、信号対雑音比）の測定及びレポートの性能情報を搬送する。サービング基地局は、ユーザ性能メッセージに基づいて端末に測定結果レポート命令メッセージを送信してから、サービング基地局に、測定によって取得されたRS  SNRをレポートする。実際の適用では、伝送リンク品質は、ユーザのデータパケットが正しく送信されたか否か、すなわち、データパケット伝送のビット誤り率又はパケット誤り率に反映される。SNRは、ビット誤り率又はパケット誤り率と直接的なマッピング関係を有することができる。したがって、本解決策では、サービング基地局が端末によってレポートされるRS  SNRを受信した後、RS  SNRに従って決定された送信リンク品質の精度が高く、よって、ネットワークを効果的に最適化することができる。
【図面の簡単な説明】
【００５０】
【図１】本発明の実施形態に係るRS  SNRのレポートの詳細なフローチャートである。
【図２】本発明の実施形態に係るRS  SNRのレポートの第１の実施形態である。
【図３】本発明の実施形態に係るRS  SNRのレポートの第２の実施形態である。
【図４】本発明の実施形態に係るRS  SNRのレポートの第３の実施形態である。
【図５】本発明の実施形態に係るRS  SNRの受信の詳細なフローチャートである。
【図６】本発明の実施形態に係るRS  SNRレポート装置の機能の概略構造図である。
【図７】本発明の実施形態に係るRS  SNR受信装置の機能の概略構造図である。
【発明を実施するための形態】
【００５１】
決定された伝送リンク品質が誤差が大きくあり精度が低いという従来技術の問題を解決するために、本発明の実施形態は、RS  SNRレポート方法を提案する。本解決策では、サービング基地局にユーザ性能メッセージが送信される。ユーザ性能メッセージは、端末によるRS  SNRの測定及びレポートの性能情報を搬送する。サービング基地局によりユーザ性能メッセージに従って送信された測定結果レポート命令メッセージが受信され、測定によって取得されたRS  SNRがサービング基地局にレポートされる。実際の適用では、伝送リンク品質は、ユーザのデータパケットが正しく送信されたか否か、すなわち、データパケット伝送のビット誤り率又はパケット誤り率に反映される。SNRは、ビット誤り率又はパケット誤り率と直接的なマッピング関係を有することができる。したがって、本解決策では、サービング基地局が端末によってレポートされるRS  SNRを受信した後、RS  SNRに従って決定された送信リンク品質の精度が高く、よって、ネットワークを効果的に最適化することができる。
【００５２】
更にRS  SNR受信方法が提案される。本解決策では、端末によって送信されるユーザ性能メッセージが受信される。ユーザ性能メッセージは、端末によるRS  SNRの測定及びレポートの性能情報を搬送する。ユーザ性能メッセージに基づいて、端末に測定結果レポート命令メッセージが送信される。端末により測定結果レポート命令メッセージに従ってレポートされる、測定によって取得されたRS  SNRが受信される。実際の適用では、伝送リンク品質は、ユーザのデータパケットが正しく送信されたか否か、すなわち、データパケット伝送のビット誤り率又はパケット誤り率に反映される。SNRは、ビット誤り率又はパケット誤り率と直接的なマッピング関係を有することができる。したがって、本解決策では、サービング基地局が端末によってレポートされるRS  SNRを受信した後、RS  SNRに従って決定された送信リンク品質の精度が高く、よって、ネットワークを効果的に最適化することができる。
【００５３】
本発明の実施形態の目的、技術的解決法及び利点をより明確にするために、以下、本発明の実施形態において添付図面を参照しながら、本発明の実施形態における技術的解決策を明確且つ完全に説明する。当然ながら、説明される実施形態は、本発明の実施形態の一部であり、全部ではない。当業者が本発明の実施形態に基づいて創意工夫なく得る他の実施形態は、全て本発明の保護範囲に包含されるものとする。
【００５４】
本明細書に記載の技術は、様々な通信システムに適用することができる。例えば、現在の2G及び3G通信システムや、次世代通信システム、例えばGSM、符号分割多元接続（CDMA，Code  Division  Multiple  Access）システム、時分割多元アクセス（TDMA，Time  Division  Multiple  Access）システム、広帯域符号分割多元接続（WCDMA，Wideband  Code  Division  Multiple  Access）、周波数分割多元アクセス（FDMA，Frequency  Division  Multiple  Access）システム、直交周波数分割多元アクセス（OFDMA，Orthogonal  Frequency-Division  Multiple  Access）システム、シングルキャリアFDMA（SC-FDMA）システム、汎用パケット無線サービス（GPRS，General  Packet  Radio  Service）システム、他の通信システムに適用することができる。
【００５５】
「及び／又は」という語句は、本明細書では、関連するオブジェクトを記述するための対応関係を説明するものに過ぎず、３つの関係が存在し得ることを表す。例えば、Ａ及び／又はＢは、Ａだけが存在する場合と、ＡとＢの両方が存在する場合と、Ｂのみが存在する場合の３つの場合を表し得る。更に、文字「／」は、本明細書では一般に、関連するオブジェクト間の「又は」の関係を示す。
【００５６】
以下、添付図面を参照しながら、本発明の例示的な実施方式について詳細に説明する。
【００５７】
図１を参照する。本発明の実施形態において、RS  SNRをレポートする詳細な手順は以下のとおりである。
【００５８】
ステップ１００：サービング基地局にユーザ性能メッセージを送信する。ユーザ性能メッセージは、端末によるRS  SNRの測定及びレポートの性能情報を搬送する。
【００５９】
ステップ１１０：サービング基地局がユーザ性能メッセージに従って送信した測定結果レポート命令メッセージを受信する。
【００６０】
ステップ１２０：サービング基地局に、測定によって取得されたRS  SNRをレポートする。
【００６１】
RS  SNRを計算するには複数の方式がある。任意に、本発明の本実施形態では、RS  SNRは、RSを搬送するRE上で受信される、ターゲット基地局によって送信されるRSの平均線形電力値の、RSを搬送するOFDMシンボル上で受信される、少なくとも１つの非ターゲット基地局によって送信される信号の平均線形電力値の和に対する比である。
【００６２】
上記の定義に基づき、RS  SNRは、実際にはSNRとSINRの２つの状況をカバーする。端末がネットワーク内に強い干渉を検出しないとき（すなわちＩ＝０）、RS  SNRは、端末によって受信される参照信号の信号対雑音比である。端末が強い干渉を検出できるとき（すなわちＩ≠０）、RS  SNRは、端末によって受信される参照信号の信号対干渉雑音比である。
【００６３】
当然ながら、実際の適用では、RS  SNRを計算するには複数の方式がある。ここでは詳細の説明を省略する。
【００６４】
本発明の本実施形態では、ステップ１００でサービング基地局に送信されるユーザ性能メッセージには複数の種類がある。任意に、ユーザ性能メッセージはE-UTRAN（Evolved  Universal  Terrestrial  Radio  Access  Network、進化型ユニバーサル地上無線ネットワーク）メッセージである。すなわち、端末はE-UTRANメッセージを用いて、端末がRS  SNRを測定し、RS  SNRを記録し、RS  SNRをレポートする性能を有することを示す情報をフィードバックする。
【００６５】
実施プロセスにおいて、RS  SNRを測定、記録及びレポートする性能を示す情報は、E-UTRAN  RRCメッセージに追加されてよい。新たに追加されるRS  SNRを測定、記録及びレポートする性能を示す情報は、１bitのみである必要があるBoolean変数である。端末が性能を有することを示すために、RS  SNRを測定、記録及びレポートする性能を示す情報はTrue又はsupportedに設定されてよく、以下のように示される。
【数１】
0006517222.tif 000002
【００６６】
rssnrloggedMeasurementsIdleは、RS  SNRを測定、記録及びレポートする性能を示す情報の命名方式に過ぎず、端末がRS  SNRを測定し、RS  SNRを記録し、RS  SNRをレポートする性能を有することを示し、１bitのみである必要がある。実際の適用では、別の命名方式が採用されてよい。同じ物理的意味を示す限り、採用される別の命名方式は本解決策の保護範囲に包含される。
【００６７】
上記は、端末によるRS  SNRの測定、記録及びレポートの性能情報を搬送するユーザ性能メッセージがE-UTRAN  RRCメッセージである例に過ぎない。実際の適用では、端末によるRS  SNRの測定、記録及びレポートの性能情報を搬送するユーザ性能メッセージは、別のメッセージであってよい。ここでは詳細の説明を省略する。
【００６８】
本発明の本実施形態では、RS  SNRを測定するには複数の方式がある。任意に、測定には以下の方式が採用されてよい。
サービング基地局によって送信される測定命令メッセージを受信する。測定命令メッセージは、端末とターゲット基地局との間の伝送リンクのRS  SNRを測定するように端末に指示する情報を搬送する。また、測定命令メッセージに従って、端末とターゲット基地局との間の伝送リンクのRS  SNRを測定する。実際の適用では、別の測定方式が採用されてよい。ここでは詳細の説明を省略する。
【００６９】
本発明の本実施形態では、測定命令メッセージは、端末とターゲット基地局との間の伝送リンクのRS  SNRを測定するように端末に指示する情報を搬送する。端末とターゲット基地局との間の伝送リンクのRS  SNRを測定するように端末に指示する情報は、端末がデータ測定を実行する必要があるとき、端末が経験するRS  SNRが記録及びレポートされる必要があることと、端末とターゲット基地局との間の伝送リンクのRS  SNRを測定するように端末に指示する情報は、１bitのみである必要があることを示す。サービング基地局が端末に上記工程を実行するように指示することを示すために、端末とターゲット基地局との間の伝送リンクのRS  SNRを測定するように端末に指示する情報は、True又はsupportedに設定されてよい。
【００７０】
本発明の本実施形態では、測定命令メッセージには複数の種類がある。例えば、測定命令メッセージは、以下に示すようなログ測定構成メッセージであってよい。
【数２】
0006517222.tif 000003
【数３】
0006517222.tif 000004
【００７１】
rssnrloggingindicationは、端末とターゲット基地局との間の伝送リンクのRS  SNRを測定するように端末に指示する情報の命名方式に過ぎず、端末がデータ測定を行うとき、端末が経験するRS  SNRが記録及びレポートされる必要があることを示す。実際の適用では、別の命名方式が採用されてよい。同じ物理的意味を示す限り、採用される別の命名方式は本解決策の保護範囲に包含される。
【００７２】
本発明の本実施形態では、端末とターゲット基地局との間の伝送リンクのRS  SNRが測定された後、更に測定完了指示メッセージがサービング基地局に送信される。測定完了指示メッセージは、端末とターゲット基地局との間の伝送リンクのRS  SNRの測定が完了したことを示す情報を搬送する。測定完了指示メッセージに搬送される情報は、端末が既にサービング基地局によって必要とされるデータの測定（Logging）に関するタスクを完了したことを示す。
【００７３】
測定完了指示メッセージには複数の種類がある。任意に、測定完了指示メッセージはRRC（Radio  Resource  Control、無線リソース制御）接続再構成完了メッセージである。実際の適用では、測定完了指示メッセージは別のメッセージであってよい。ここでは詳細の説明を省略する。
【００７４】
本発明の本実施形態では、測定結果レポート命令メッセージは、端末によってレポートされるRS  SNRについての情報を搬送する。端末によってレポートされるRS  SNRについての情報は、端末によってレポートされる全ての測定値についての情報に含まれ、全ての測定値は少なくともRS  SNRの測定値を含む。
【００７５】
例えば、測定結果レポート命令メッセージは、端末によってレポートされる全ての測定値についての情報を搬送する。端末の全ての測定値は、RSRPの測定値、RSRQの測定値、RS  SNRの測定値及びRS  SINRの測定値である。この場合は、測定結果レポート命令メッセージが、端末によってレポートされる全ての測定値についての情報を搬送するとき、測定結果レポート命令メッセージは、端末によってレポートされるRS  SNRについての情報を搬送する。
【００７６】
本発明の本実施形態では、測定結果レポート命令メッセージは、端末によってレポートされるRS  SNRについての情報を搬送する。端末によってレポートされるRS  SNRについての情報は、端末によってレポートされる指定の測定値についての情報に含まれ、指定の測定値は少なくともRS  SNRの測定値を含む。
【００７７】
例えば、測定結果レポート命令メッセージは、端末によってレポートされる指定の測定値についての情報を搬送する。端末の全ての測定値は、RSRPの測定値、RSRQの測定値、RS  SNRの測定値及びRS  SINRの測定値であるが、端末によってレポートされる指定の測定値は、RSRPの測定値及びRS  SNRの測定値である。この場合は、測定結果レポート命令メッセージが、端末によってレポートされる指定の測定値についての情報を搬送するとき、測定結果レポート命令メッセージは、端末によってレポートされるRS  SNRについての情報を搬送する。
【００７８】
本発明の本実施形態では、RRCユーザ情報要求メッセージが端末によってレポートされるRS  SNRについての情報を搬送するとき、RRCユーザ情報要求メッセージのフォーマットは以下のとおりである。
【数４】
0006517222.tif 000005
【数５】
0006517222.tif 000006
【００７９】
“requestedloggedMeasurements”は、端末によってレポートされる必要のある測定値を示し、ビットフローとして表される。requestedloggedMeasurementsが８個のbitを有すると仮定する。１つ目のbitはRSRPの測定値をレポートするか否かを示し、２つ目のbitはRSRQの測定値をレポートするか否かを示し、３つ目のbitはRS  SNRの測定値をレポートするか否かを示し、その他のbitは他の測定値又は予約bitを示す。任意の測定値について、測定値が１に設定される場合、測定値がレポートされる必要があることを示し、測定値が０に設定される場合、測定値がレポートされる必要がないことを示す。本実施形態では、RS  SNRのみがレポートされる必要がある場合、ビットフローのストリングの値は“00100000”であり、RSRPとRS  SNRのみがレポートされる必要がある場合、ビットフローのストリングの値は“10100000”である。
【００８０】
UEInformationRequest-v12x0及びrequestedloggedMeasurementsは、命名方式に過ぎず、レポートされる必要のある測定値を示す。実際の適用では、同じ物理的意味を示す限り、別の命名方式が採用されてよい。採用される別の命名方式は本解決策の保護範囲に包含される。
【００８１】
本発明の本実施形態では、測定結果レポート命令メッセージには複数の種類がある。例えば、測定結果レポート命令メッセージは、RRCユーザ情報要求メッセージである。実際の適用では、測定結果レポート命令メッセージは別のメッセージであってよい。ここでは詳細の説明を省略する。
【００８２】
本発明の本実施形態では、測定によって取得されたRS  SNRをサービング基地局にレポートするには、複数の方式がある。例えば、測定によって取得されたRS  SNRを搬送するRRCユーザ情報フィードバックメッセージが、サービング基地局にレポートされる。RRCユーザ情報フィードバックメッセージにより、測定によって取得されたRS  SNRを搬送する工程は、以下のように示される。
【数６】
0006517222.tif 000007
【数７】
0006517222.tif 000008
【数８】
0006517222.tif 000009
【００８３】
上述の実施形態で新たに追加されるRSSNR-Rangeのフォーマットは、以下のとおりである。
【数９】
0006517222.tif 000010
【００８４】
本発明の本実施形態では、RSSNR-Rangeは命名方式に過ぎず、端末によってレポートされるRS  SNRの値の範囲を示す。任意に、X＝３４である。実際の適用では、端末によってレポートされるRS  SNRの値の範囲について別の命名方式が採用されてよい。同じ物理的意味を示す限り、採用される別の命名方式は本解決策の保護範囲に包含される。
【００８５】
実際の適用では、測定によって取得されたRS  SNRは、別の実施方式でサービング基地局にレポートされてよい。ここでは詳細の説明を省略する。
【００８６】
本発明の本実施形態では、RS  SNRはサービング基地局のサービングセルのRS  SNRであってよく、SNR_serving又はSINR_servingと表されてよい。端末がキャリアアグリゲーションをサポートする場合、RS  SNRは、サービング基地局のサービングセルの１次サービングセルのRS  SNR、又はサービング基地局のサービングセルの２次サービングセルのRS  SNRであってよく、SNR_pcell若しくはSINR_pcell、又はSNR_scell若しくはSINR_scellと表されてよい。或いは、RS  SNRは、サービング基地局のサービングセルの周波数内サービングセルのRS  SNR、又はサービング基地局のサービングセルの周波数間サービングセルのRS  SNRであってよく、SNR_neighbour又はSINR_neighbourと表されてよい。
【００８７】
本発明の本実施形態をより良く理解するために、以下に具体的な適用シナリオを提供する。RS  SNRをレポートするプロセスを更に詳述する。
【００８８】
図２に実施形態１を具体的に示す（端末がＡ、サービング基地局がＢである）。
【００８９】
ステップ２００：ＡがＢにE-UTRAN  RRCメッセージを送信する。E-UTRAN  RRCメッセージは、ＡによるRS  SNRの測定、記録及びレポートの性能情報を搬送する。
【００９０】
このステップでは、Ａが、E-UTRAN  RRCメッセージを用いて、ＡがRS  SNRを測定、記録及びレポートする性能を有することを示す情報をＢにフィードバックする。
【００９１】
ステップ２１０：Ｂが、Ａによってフィードバックされる、RS  SNRの測定、記録及びレポートの性能情報に従って、Ａにログ測定構成メッセージを送信する。ログ測定構成メッセージは、Ａとターゲット基地局との間の伝送リンクのRS  SNRを測定するようにＡに指示する情報を搬送する。
【００９２】
このステップでは、Ａは、ネットワーク側のＭＤＴ（Minimization  of  drive-tests、ドライブ試験の省力化）要求に従って、Ａとターゲット基地局との間の伝送リンクのRS  SNRを測定するようにＡに指示する情報をログ測定構成メッセージに追加する。
【００９３】
ステップ２２０：伝送されるサービスがないとき、ＡはRRC接続状態からアイドル状態に戻り、ログ測定構成メッセージに従って、Ａとターゲット基地局との間の伝送リンクのRS  SNRを測定する。
【００９４】
このステップでは、Ａは、log間隔（LoggingInterval）やlog期間（LoggingDuration）等のパラメータに従って、RS  SNRを測定し記録する。
【００９５】
ステップ２３０：Ａが、Ａとターゲット基地局との間の伝送リンクのRS  SNRを測定した後、Ｂに測定完了指示メッセージを送信する。
【００９６】
このステップでは、測定が完了すると、Ａはアイドル状態から接続状態に移行する。測定完了指示メッセージは、Ａとターゲット基地局との間の伝送リンクのRS  SNRの測定が完了したことを示す情報を搬送する。
【００９７】
ステップ２４０：ＢがＡにRRCユーザ情報要求メッセージを送信する。RRCユーザ情報要求メッセージは、Ａによってレポートされる全ての測定値についての情報を搬送する。
【００９８】
このステップでは、全ての測定値は、RSRPの測定値、RSRQの測定値及びRS  SNRの測定値を含む。
【００９９】
ステップ２５０：Ａが、測定結果レポート命令を受信した後、ＢにRRCユーザ情報フィードバックメッセージを送信する。RRCユーザ情報フィードバックメッセージは、RSRPの測定値、RSRQの測定値及びRS  SNRの測定値を含む。
【０１００】
ステップ２５０の後、Ｂは、ＡによってレポートされたRS  SNRの測定値に従ってネットワークを最適化してよい。
【０１０１】
図３に実施形態２を具体的に示す（端末がＡ、サービング基地局がＢである）。
【０１０２】
ステップ３００：ＡがＢにE-UTRAN  RRCメッセージを送信する。E-UTRAN  RRCメッセージは、ＡによるRS  SNRの測定、記録及びレポートの性能情報を搬送する。
【０１０３】
このステップでは、Ａが、E-UTRAN  RRCメッセージを用いて、ＡがRS  SNRを測定、記録及びレポートする性能を有することを示す情報をＢにフィードバックする。
【０１０４】
ステップ３１０：Ｂが、Ａによってフィードバックされる、RS  SNRの測定、記録及びレポートの性能情報に従って、Ａにログ測定構成メッセージを送信する。ログ測定構成メッセージは、Ａとターゲット基地局との間の伝送リンクのRS  SNRを測定するようにＡに指示する情報を搬送する。
【０１０５】
このステップでは、Ａは、ネットワーク側のＭＤＴ（Minimization  of  drive-tests、ドライブ試験の省力化）要求に従って、Ａとターゲット基地局との間の伝送リンクのRS  SNRを測定するようにＡに指示する情報をログ測定構成メッセージに追加する。
【０１０６】
ステップ３２０：伝送されるサービスがないとき、ＡはRRC接続状態からアイドル状態に戻り、ログ測定構成メッセージに従って、Ａとターゲット基地局との間の伝送リンクのRS  SNRを測定する。
【０１０７】
このステップでは、Ａは、log間隔（LoggingInterval）やlog期間（LoggingDuration）等のパラメータに従って、測定及び記録を行う。
【０１０８】
ステップ３３０：Ａが、Ａとターゲット基地局との間の伝送リンクのRS  SNRを測定した後、Ｂに測定完了指示メッセージを送信する。
【０１０９】
このステップでは、測定が完了すると、Ａはアイドル状態から接続状態に移行する。測定完了指示メッセージは、Ａとターゲット基地局との間の伝送リンクのRS  SNRの測定が完了したことを示す情報を搬送する。
【０１１０】
ステップ３４０：ＢがＡにRRCユーザ情報要求メッセージを送信する。RRCユーザ情報要求メッセージは、Ａによってレポートされる指定の測定値についての情報を搬送する。
【０１１１】
このステップでは、指定の測定値は、RSRPの測定値及びRS  SNRの測定値を含む。
【０１１２】
ステップ３５０：Ａが、測定結果レポート命令を受信した後、ＢにRRCユーザ情報フィードバックメッセージを送信する。RRCユーザ情報フィードバックメッセージは、RSRPの測定値及びRS  SNRの測定値を含む。
【０１１３】
ステップ３５０の後、Ｂは、ＡによってレポートされたRS  SNRの測定値に従ってネットワークを最適化してよい。
【０１１４】
上述のプロセスでは、サービング基地局は、測定命令メッセージに、端末に測定される必要のある値についての情報を追加し、端末によってレポートされる必要のある測定値についての情報は追加せず、端末によってレポートされる必要のある測定値についての情報は測定結果レポート命令メッセージに追加する。実際の適用では、サービング基地局は更に、端末によって測定される必要のある値についての情報だけでなく、端末によってレポートされる必要のある測定値についての情報も測定命令メッセージに追加して、レポートされる必要のある測定値を端末に通知してよい。サービング基地局によって送信された測定結果レポート命令メッセージを受信すると、端末は、サービング基地局によって示される、レポートされる必要のある測定値をレポートする。
【０１１５】
本発明の本実施形態では、サービング基地局は更に、端末に測定される必要のある値についての情報だけでなく、端末によってレポートされる必要のある測定値についての情報も測定命令メッセージに追加する。端末によってレポートされる必要のある測定値についての追加される情報は、端末によって測定される全ての測定値であってよく、或いは端末によって測定される指定の測定値であってよい。
【０１１６】
図４に実施形態３を具体的に示す（端末がＡ、サービング基地局がＢである）。
【０１１７】
ステップ４００：ＡがＢにE-UTRAN  RRCメッセージを送信する。E-UTRAN  RRCメッセージは、ＡによるRS  SNRの測定、記録及びレポートの性能情報を搬送する。
【０１１８】
このステップでは、Ａが、E-UTRAN  RRCメッセージを用いて、ＡがRS  SNRを測定、記録及びレポートする性能を有することを示す情報をＢにフィードバックする。
【０１１９】
ステップ４１０：Ｂが、Ａによってフィードバックされる、RS  SNRの測定、記録及びレポートの性能情報に従って、Ａにログ測定構成メッセージを送信する。ログ測定構成メッセージは、Ａとターゲット基地局との間の伝送リンクのRS  SNRを測定するようにＡに指示する情報を搬送し、測定によって取得されたRS  SNRをレポートするようにＡに指示する情報を搬送する。
【０１２０】
このステップでは、Ａは、ネットワーク側のＭＤＴ（Minimization  of  drive-tests、ドライブ試験の省力化）要求に従って、Ａとターゲット基地局との間の伝送リンクのRS  SNRを測定するようにＡに指示する情報をログ測定構成メッセージに追加する。
【０１２１】
ステップ４２０：伝送されるサービスがないとき、ＡはRRC接続状態からアイドル状態に戻り、ログ測定構成メッセージに従って、Ａとターゲット基地局との間の伝送リンクのRS  SNRを測定する。
【０１２２】
このステップでは、Ａは、log間隔（LoggingInterval）やlog期間（LoggingDuration）等のパラメータに従って、測定及び記録を行う。
【０１２３】
ステップ４３０：Ａが、Ａとターゲット基地局との間の伝送リンクのRS  SNRを測定した後、Ｂに測定完了指示メッセージを送信する。
【０１２４】
このステップでは、測定が完了すると、Ａはアイドル状態から接続状態に移行する。測定完了指示メッセージは、Ａとターゲット基地局との間の伝送リンクのRS  SNRの測定が完了したことを示す情報を搬送する。
【０１２５】
ステップ４４０：ＢがＡにRRCユーザ情報要求メッセージを送信して、関連する測定値をレポートするようにＡに指示する。
【０１２６】
ステップ４５０：Ａが、測定結果レポート命令を受信した後、ＢにRRCユーザ情報フィードバックメッセージを送信する。RRCユーザ情報フィードバックメッセージは、RS  SNRの測定値を含む。
【０１２７】
ステップ４５０の後、Ｂは、ＡによってレポートされたRS  SNRの測定値に従ってネットワークを最適化してよい。
【０１２８】
上述のいくつかの実施形態の例では、端末はアイドル状態で測定を行う。実際の適用では、端末は、接続状態で測定及び記録を行ってもよい。すなわち、端末は、端末がアイドル状態であるか接続状態であるかに関わらず、RS  SNRを測定し記録してよい。E-UTRAN  RRCメッセージのフォーマットを以下に示す。
【数１０】
0006517222.tif 000011
【０１２９】
上記に示されるE-UTRAN  RRCメッセージが用いられる場合、端末は、端末がアイドル状態であるか接続状態であるかに関わらず、端末がRS  SNRを測定、記録及びレポートする性能を有することを示す情報をサービング基地局にフィードバックしてよく、端末がアイドル状態であるか接続状態であるかに関わらず、RS  SNRの測定及びレポートをサポートする。
【０１３０】
図５を参照する。本発明の実施形態において、RS  SNRを受信する詳細な手順は以下のとおりである。
【０１３１】
ステップ５００：端末によって送信されるユーザ性能メッセージを受信する。ユーザ性能メッセージは、端末によるRS  SNRの測定及びレポートの性能情報を搬送する。
【０１３２】
ステップ５１０：ユーザ性能メッセージに基づいて、端末に測定結果レポート命令メッセージを送信する。
【０１３３】
ステップ５２０：端末により測定結果レポート命令メッセージに従ってレポートされる、測定によって取得されたRS  SNRを受信する。
【０１３４】
RS  SNRを計算するには複数の方式がある。任意に、本発明の本実施形態では、RS  SNRは、RSを搬送するRE上で受信される、ターゲット基地局によって送信されるRSの平均線形電力値の、RSを搬送するOFDMシンボル上で受信される、少なくとも１つの非ターゲット基地局によって送信される信号の平均線形電力値の和に対する比である。
【０１３５】
上記の定義に基づき、RS  SNRは、実際にはSNRとSINRの２つの状況をカバーする。端末がネットワーク内に強い干渉を検出しないとき（すなわちＩ＝０）、RS  SNRは、端末によって受信される参照信号の信号対雑音比である。端末が強い干渉を検出できるとき（すなわちＩ≠０）、RS  SNRは、端末によって受信される参照信号の信号対干渉雑音比である。
【０１３６】
当然ながら、実際の適用では、RS  SNRを計算するには複数の方式がある。ここでは詳細の説明を省略する。
【０１３７】
本発明の本実施形態では、ステップ５００で端末によって送信されるユーザ性能メッセージには、複数の種類がある。任意に、ユーザ性能メッセージはE-UTRAN  RRCメッセージである。すなわち、端末はE-UTRANメッセージを用いて、端末がRS  SNRを測定し、RS  SNRを記録し、RS  SNRをレポートする性能を有することを示す情報をサービング基地局にフィードバックする。
【０１３８】
実施プロセスにおいて、RS  SNRを測定、記録及びレポートする性能を示す情報は、E-UTRAN  RRCメッセージに追加されてよい。新たに追加されるRS  SNRを測定、記録及びレポートする性能を示す情報は、１bitのみである必要があるBoolean変数である。端末が性能を有することを示すために、RS  SNRを測定、記録及びレポートする性能を示す情報はTrue又はsupportedに設定されてよく、以下のように示される。
【数１１】
0006517222.tif 000012
【０１３９】
rssnrloggedMeasurementsIdleは、RS  SNRを測定、記録及びレポートする性能を示す情報の命名方式に過ぎず、端末がRS  SNRを測定し、RS  SNRを記録し、RS  SNRをレポートする性能を有することを示し、１bitのみである必要がある。実際の適用では、同じ物理的意味を示す限り、別の命名方式が採用されてよい。採用される別の命名方式は本解決策の保護範囲に包含される。
【０１４０】
上記は、端末によるRS  SNRの測定、記録及びレポートの性能情報を搬送するユーザ性能メッセージがE-UTRAN  RRCメッセージである例に過ぎない。実際の適用では、端末によるRS  SNRの測定、記録及びレポートの性能情報を搬送するユーザ性能メッセージは、別のメッセージであってよい。ここでは詳細の説明を省略する。
【０１４１】
本発明の本実施形態では、端末によってレポートされる、少なくとも測定によって取得されるRS  SNRを受信するステップの前に、本方法は更に、端末に測定命令メッセージを送信して、端末に、測定命令メッセージに従って端末とターゲット基地局との間の伝送リンクのRS  SNRを測定するように指示するステップ、を含む。測定命令メッセージは、少なくとも、端末とターゲット基地局との間の伝送リンクのRS  SNRを測定するように端末に指示する情報を搬送する。
【０１４２】
本発明の本実施形態では、測定命令メッセージは、端末とターゲット基地局との間の伝送リンクのRS  SNRを測定するように端末に指示する情報を搬送する。端末とターゲット基地局との間の伝送リンクのRS  SNRを測定するように端末に指示する情報は、端末がデータ記録を実行する必要があるとき、端末が経験するRS  SNRが記録及びレポートされる必要があることと、端末とターゲット基地局との間の伝送リンクのRS  SNRを測定するように端末に指示する情報は、１bitのみである必要があることを示す。サービング基地局が端末に上記工程を実行するように指示することを示すために、端末とターゲット基地局との間の伝送リンクのRS  SNRを測定するように端末に指示する情報は、True又はsupportedに設定されてよい。
【０１４３】
本発明の本実施形態では、測定命令メッセージには複数の種類がある。例えば、測定命令メッセージは、以下に示すようなログ測定構成メッセージであってよい。
【数１２】
0006517222.tif 000013
【数１３】
0006517222.tif 000014
【０１４４】
rssnrloggingindicationは、端末とターゲット基地局との間の伝送リンクのRS  SNRを測定するように端末に指示する情報の命名方式に過ぎず、端末がデータ記録を行うとき、端末が経験するRS  SNRが記録及びレポートされる必要があることを示す。実際の適用では、別の命名方式が採用されてよい。同じ物理的意味を示す限り、採用される別の命名方式は本解決策の保護範囲に包含される。
【０１４５】
本発明の本実施形態では、端末に測定命令メッセージが送信された後、端末によって送信される測定完了指示メッセージが更に受信される。測定完了指示メッセージは、少なくとも、端末とターゲット基地局との間の伝送リンクのRS  SNRの測定が完了したことを示す情報を搬送する。測定完了指示メッセージに搬送される情報は、端末UEが既にサービング基地局によって必要とされるデータの測定（Logging）に関するタスクを完了したことを示す。
【０１４６】
測定完了指示メッセージには複数の種類がある。任意に、測定完了指示メッセージはRRC接続再構成完了メッセージである。実際の適用では、測定完了指示メッセージは別のメッセージであってよい。ここでは詳細の説明を省略する。
【０１４７】
本発明の本実施形態では、測定結果レポート命令メッセージは、端末によってレポートされるRS  SNRについての情報を搬送する。端末によってレポートされるRS  SNRについての情報は、端末によってレポートされる全ての測定値についての情報に含まれ、全ての測定値は少なくともRS  SNRの測定値を含む。
【０１４８】
例えば、測定結果レポート命令メッセージは、端末によってレポートされる全ての測定値についての情報を搬送する。端末の全ての測定値は、RSRPの測定値、RSRQの測定値、RS  SNRの測定値及びRS  SINRの測定値である。この場合は、測定結果レポート命令メッセージが、端末によってレポートされる全ての測定値についての情報を搬送するとき、測定結果レポート命令メッセージは、端末によってレポートされるRS  SNRについての情報を搬送する。
【０１４９】
本発明の本実施形態では、測定結果レポート命令メッセージは、端末によってレポートされるRS  SNRについての情報を搬送する。端末によってレポートされるRS  SNRについての情報は、端末によってレポートされる指定の測定値についての情報に含まれ、指定の測定値は少なくともRS  SNRの測定値を含む。
【０１５０】
例えば、測定結果レポート命令メッセージは、端末によってレポートされる指定の測定値についての情報を搬送する。端末の全ての測定値は、RSRPの測定値、RSRQの測定値、RS  SNRの測定値及びRS  SINRの測定値であるが、端末によってレポートされる指定の測定値は、RSRPの測定値及びRS  SNRの測定値である。この場合は、測定結果レポート命令メッセージが、端末によってレポートされる指定の測定値についての情報を搬送するとき、測定結果レポート命令メッセージは、端末によってレポートされるRS  SNRについての情報を搬送する。
【０１５１】
本発明の本実施形態では、RRCユーザ情報要求メッセージが端末によってレポートされるRS  SNRについての情報を搬送するとき、RRCユーザ情報要求メッセージのフォーマットは以下のとおりである。
【数１４】
0006517222.tif 000015
【数１５】
0006517222.tif 000016
【０１５２】
“requestedloggedMeasurements”は、端末によってレポートされる必要のある測定値を示し、ビットフローとして表される。requestedloggedMeasurementsが８個のbitを有すると仮定する。１つ目のbitはRSRPの測定値をレポートするか否かを示す、２つ目のbitはRSRQの測定値をレポートするか否かを示し、３つ目のbitはRS  SNRの測定値をレポートするか否かを示し、その他のbitは他の測定値又は予約bitを示す。任意の測定値について、測定値が1に設定される場合、測定値がレポートされる必要があることを示し、測定値が０に設定される場合、測定値がレポートされる必要がないことを示す。本実施形態では、RS  SNRのみがレポートされる必要がある場合、ビットフローのストリングの値は“00100000”であり、RSRPとRS  SNRのみがレポートされる必要がある場合、ビットフローのストリングの値は“10100000”である。
【０１５３】
UEInformationRequest-v12x0及びrequestedloggedMeasurementsは、命名方式に過ぎず、レポートされる必要のある測定値を示す。実際の適用では、同じ物理的意味を示す限り、別の命名方式が採用されてよい。採用される別の命名方式は本解決策の保護範囲に包含される。
【０１５４】
本発明の本実施形態では、測定結果レポート命令メッセージには複数の種類がある。例えば、測定結果レポート命令メッセージは、RRCユーザ情報要求メッセージである。実際の適用では、測定結果レポート命令メッセージは別のメッセージであってよい。ここでは詳細の説明を省略する。
【０１５５】
本発明の本実施形態では、端末によってレポートされる、少なくとも測定によって取得されるRS  SNRを受信するには、複数の方式がある。例えば、端末によってレポートされる、少なくとも測定によって取得されたRS  SNRを搬送するRRCメッセージユーザ情報フィードバックメッセージが受信される。RRCユーザ情報フィードバックメッセージにより、測定によって取得されたRS  SNRを搬送する工程は、以下のように示される。
【数１６】
0006517222.tif 000017
【数１７】
0006517222.tif 000018
【数１８】
0006517222.tif 000019
【０１５６】
上述の実施形態で新たに追加されるRSSNR-Rangeのフォーマットは、以下のとおりである。
【数１９】
0006517222.tif 000020
【０１５７】
本発明の本実施形態では、RSSNR-Rangeは命名方式に過ぎず、端末によってレポートされるRS  SNRの値の範囲を示す。任意に、X＝３４である。実際の適用では、端末によってレポートされるRS  SNRの値の範囲について別の命名方式が採用されてよい。同じ物理的意味を示す限り、採用される別の命名方式は本解決策の保護範囲に包含される。
【０１５８】
実際の適用では、測定によって取得されたRS  SNRは、別の実施方式でサービング基地局にレポートされてよい。ここでは詳細の説明を省略する。
【０１５９】
本発明の本実施形態では、RS  SNRはサービング基地局のサービングセルのRS  SNRであってよく、NR_serving又はSINR_servingと表されてよい。端末がキャリアアグリゲーションをサポートする場合、RS  SNRは、サービング基地局のサービングセルの１次サービングセルのRS  SNR、又はサービング基地局のサービングセルの２次サービングセルのRS  SNRであってよく、SNR_pcell若しくはSINR_pcell、又はSNR_scell若しくはSINR_scellと表されてよい。或いは、RS  SNRは、サービング基地局のサービングセルの周波数内サービングセルのRS  SNR、又はサービング基地局のサービングセルの周波数間サービングセルのRS  SNRであってよく、SNR_neighbour又はSINR_neighbourと表されてよい。
【０１６０】
上述のいくつかの実施形態の例では、端末はアイドル状態で測定を行う。実際の適用では、端末は、接続状態で測定及び記録を行ってもよい。すなわち、端末は、端末がアイドル状態であるか接続状態であるかに関わらず、RS  SNRを測定し記録してよい。E-UTRAN  RRCメッセージのフォーマットを以下に示す。
【数２０】
0006517222.tif 000021
【０１６１】
上記に示されるE-UTRAN  RRCメッセージが用いられる場合、端末は、端末がアイドル状態であるか接続状態であるかに関わらず、端末がRS  SNRを測定、記録及びレポートする性能を有することを示す情報をサービング基地局にフィードバックしてよく、端末がアイドル状態であるか接続状態であるかに関わらず、RS  SNRの測定及びレポートをサポートする。
【０１６２】
上述の技術的解決策に基づき、図６を参照すると、本発明の実施形態は、参照信号信号対雑音比（RS  SNR）レポート装置を提供する。本装置は、送信ユニット６０、受信ユニット６１及びレポートユニット６２を備える。
【０１６３】
送信ユニット６０は、サービング基地局にユーザ性能メッセージを送信するように構成される。ユーザ性能メッセージは、端末によるRS  SNRの測定、記録及びレポートの性能情報を搬送する。
【０１６４】
受信ユニット６１は、サービング基地局がユーザ性能メッセージに従って送信した測定結果レポート命令メッセージを受信するように構成される。
【０１６５】
レポートユニット６２は、サービング基地局に、測定によって取得されたRS  SNRをレポートするように構成される。
【０１６６】
任意に、本発明の本実施形態では、レポートユニット６２によってレポートされるRS  SNRは、参照信号（RS）を搬送するリソースエレメント（RE）上で受信される、ターゲット基地局によって送信されるRSの平均線形電力値の、RSを搬送する直交周波数分割多重（OFDM）シンボル上で受信される、少なくとも１つの非ターゲット基地局によって送信される信号の平均線形電力値の和に対する比である。
【０１６７】
任意に、本発明の本実施形態では、送信ユニット６０によって送信されるユーザ性能メッセージは、進化型ユニバーサル地上無線ネットワーク（E-UTRAN）無線リソース制御（RRC）メッセージである。
【０１６８】
更に、本発明の本実施形態では、本装置は更に測定ユニット６３を備える。測定ユニット６３は、
サービング基地局によって送信される測定命令メッセージを受信する工程であって、測定命令メッセージは、端末とターゲット基地局との間の伝送リンクのRS  SNRを測定するように端末に指示する情報を搬送する、工程と、
測定命令メッセージに従って、端末とターゲット基地局との間の伝送リンクのRS  SNRを測定する工程と、
により、測定によってRS  SNRを取得するように構成される。
【０１６９】
任意に、本発明の本実施形態では、測定ユニット６３は更に、
サービング基地局に測定完了指示メッセージを送信するように構成される。測定完了指示メッセージは、端末とターゲット基地局との間の伝送リンクのRS  SNRの測定が完了したことを示す情報を搬送する。
【０１７０】
任意に、本発明の本実施形態では、測定ユニット６３によって受信される測定命令メッセージはログ測定構成メッセージであり、測定ユニット６３によって送信される測定完了指示メッセージはRRC接続再構成完了メッセージである。
【０１７１】
任意に、本発明の本実施形態では、受信ユニット６１によって受信される測定結果レポート命令メッセージは、端末によってレポートされるRS  SNRについての情報を搬送し、
端末によってレポートされるRS  SNRについての情報は、端末によってレポートされる全ての測定値についての情報に含まれ、全ての測定値は少なくともRS  SNRの測定値を含み、又は、
端末によってレポートされるRS  SNRについての情報は、端末によってレポートされる指定の測定値についての情報に含まれ、指定の測定値は少なくともRS  SNRの測定値を含む。
【０１７２】
任意に、本発明の本実施形態では、受信ユニット６１によって受信される測定結果レポート命令メッセージはRRCユーザ情報要求メッセージである。
【０１７３】
任意に、本発明の本実施形態では、レポートユニット６２は、具体的には、
サービング基地局に、測定によって取得されたRS  SNRを搬送するRRCユーザ情報フィードバックメッセージをレポートするように構成される。
【０１７４】
任意に、本発明の本実施形態では、レポートユニット６２によってレポートされるRS  SNRは、サービング基地局のサービングセルのRS  SNRであり、又は、
RS  SNRは、サービング基地局のサービングセルの１次サービングセルのRS  SNR、若しくはサービング基地局のサービングセルの２次サービングセルのRS  SNRであり、又は、
RS  SNRは、サービング基地局のサービングセルの周波数内サービングセルのRS  SNR、若しくはサービング基地局のサービングセルの周波数間サービングセルのRS  SNRである。
【０１７５】
上述の技術的解決策に基づき、図７を参照すると、本発明の実施形態は参照信号信号対雑音比（RS  SNR）受信装置を提供する。本装置は、第１の受信ユニット７０、送信ユニット７１７１及び第２の受信ユニット７２を備える。
【０１７６】
第１の受信ユニット７０は、端末によって送信されるユーザ性能メッセージを受信するように構成される。ユーザ性能メッセージは、端末によるRS  SNRの測定、記録及びレポートの性能情報を搬送する。
【０１７７】
送信ユニット７１は、ユーザ性能メッセージに基づいて、端末に測定結果レポート命令メッセージを送信するように構成される。
【０１７８】
第２の受信ユニット７２は、端末により測定結果レポート命令メッセージに従ってレポートされる、測定によって取得されたRS  SNRを受信するように構成される。
【０１７９】
任意に、本発明の本実施形態では、第２の受信ユニット７２によって受信されるRS  SNRは、参照信号（RS）を搬送するリソースエレメント（RE）上で受信される、ターゲット基地局によって送信されるRSの平均線形電力値の、RSを搬送する直交周波数分割多重（OFDM）シンボル上で受信される、少なくとも１つの非ターゲット基地局によって送信される信号の平均線形電力値の和に対する比である。
【０１８０】
任意に、本発明の本実施形態では、第１の受信ユニット７０によって受信されるユーザ性能メッセージは、進化型ユニバーサル地上無線ネットワーク（E-UTRAN）無線リソース制御（RRC）メッセージである。
【０１８１】
更に、本発明の本実施形態では、送信ユニット７１は更に、
端末に測定命令メッセージを送信して、端末に、測定命令メッセージに従って端末とターゲット基地局との間の伝送リンクのRS  SNRを測定するように指示するように構成され、
測定命令メッセージは、少なくとも、端末とターゲット基地局との間の伝送リンクのRS  SNRを測定するように端末に指示する情報を搬送する。
【０１８２】
更に、本発明の本実施形態では、第２の受信ユニット７２は更に、
端末によって送信される測定完了指示メッセージを受信するように構成される。測定完了指示メッセージは、少なくとも、端末とターゲット基地局との間の伝送リンクのRS  SNRの測定が完了したことを示す情報を搬送する。
【０１８３】
任意に、本発明の本実施形態では、送信ユニット７１によって送信される測定命令メッセージはログ測定構成メッセージであり、第２の受信ユニット７２によって受信される測定完了指示メッセージはRRC接続再構成完了メッセージである。
【０１８４】
任意に、本発明の本実施形態では、送信ユニット７１によって送信される測定結果レポート命令メッセージは、少なくとも、端末によってレポートされるRS  SNRについての情報を搬送し、
端末によってレポートされるRS  SNRについての情報は、端末によってレポートされる全ての測定値についての情報に含まれ、全ての測定値は少なくともRS  SNRの測定値を含み、又は、
端末によってレポートされるRS  SNRについての情報は、端末によってレポートされる指定の測定値についての情報に含まれ、指定の測定値は少なくともRS  SNRの測定値を含む。
【０１８５】
任意に、本発明の本実施形態では、送信ユニット７１によって送信される測定結果レポート命令メッセージは、RRCメッセージユーザ情報要求メッセージである。
【０１８６】
任意に、本発明の本実施形態では、第２の受信ユニット７２は、具体的には、
端末によってレポートされる、少なくとも測定によって取得されたRS  SNRを搬送するRRCユーザ情報フィードバックメッセージを受信するように構成される。
【０１８７】
任意に、本発明の本実施形態では、第２の受信ユニット７２によって受信されるRS  SNRは、サービング基地局のサービングセルのRS  SNRであり、又は、
RS  SNRは、サービング基地局のサービングセルの１次サービングセルのRS  SNR、若しくはサービング基地局のサービングセルの２次サービングセルのRS  SNRであり、又は、
RS  SNRは、サービング基地局のサービングセルの周波数内サービングセルのRS  SNR、若しくはサービング基地局のサービングセルの周波数間サービングセルのRS  SNRである。
【０１８８】
結論として、本発明の実施形態では、端末がサービング基地局にユーザ性能メッセージを送信する。ユーザ性能メッセージは、端末によるRS  SNRの測定及びレポートの性能情報を搬送する。サービング基地局は、ユーザ性能メッセージに基づいて端末に測定結果レポート命令メッセージを送信してから、サービング基地局に、測定によって取得されたRS  SNRをレポートする。実際の適用では、伝送リンク品質は、ユーザのデータパケットが正しく送信されたか否か、すなわち、データパケット伝送のビット誤り率又はパケット誤り率に反映される。SNRは、ビット誤り率又はパケット誤り率と直接的なマッピング関係を有することができる。したがって、本解決策では、サービング基地局が端末によってレポートされるRS  SNRを受信した後、RS  SNRに従って決定された送信リンク品質の精度が高く、よって、ネットワークを効果的に最適化することができる。
【０１８９】
本発明の実施形態に係る方法、装置（システム）及びコンピュータプログラム製品のフローチャート及び／又はブロック図を参照して、本発明を説明した。コンピュータプログラム命令は、フローチャート及び／又はブロック図の各プロセス及び／又は各ブロック、フローチャート及び／又はブロック図のプロセス及び／又はブロックの組み合わせを実現するために採用されてよいことが理解されるべきである。このようなコンピュータプログラム命令は、コンピュータ又は他のプログラマブルデータ処理装置のプロセッサにより実行される命令が、フローチャートの１以上のプロセス及び／又はブロック図の１以上のブロックでの機能を実現するための装置を生成するように、汎用コンピュータ、専用コンピュータ、組み込みプロセッサ、又はマシンを生成する他のプログラマブルデータ処理装置のプロセッサのために提供されてよい。
【０１９０】
また、このようなコンピュータプログラム命令は、コンピュータ可読メモリに格納された命令が命令装置を含むアーティファクトを生成できるように、コンピュータ又は他のプログラマブルデータ処理装置に特定の方式で動作するように指示することができるコンピュータ可読メモリに格納されてよい。命令装置は、フローチャートの１以上のプロセス及び／又はブロック図の１以上のブロックの機能を実現する。
【０１９１】
また、このようなコンピュータプログラム命令は、一連の動作及びステップがコンピュータ又は別のプログラマブル装置上で実行され、それによりコンピュータ実施処理を生成するように、コンピュータ又は他のプログラマブルデータ処理装置にロードされてよい。したがって、コンピュータ又は他のプログラマブル装置で実行される命令は、フローチャートの１以上のプロセス及び／又はブロック図の１以上のブロックの機能を実現するためのステップを提供する。
【０１９２】
本発明の上述の実施形態を説明してきたが、当業者であれば、基本的な発明概念を学習すると、これらの実施形態への変更及び修正を行うことができる。したがって、以下の特許請求の範囲は、本発明の範囲に包含される前述した実施形態と全ての変更及び修正を網羅するように解釈されることが意図される。
【０１９３】
当然ながら、当業者であれば、本発明の実施形態の主旨及び範囲から逸脱することなく、本発明の実施形態に対する様々な修正及び変形を行うことができる。本発明は、これらの修正及び変形が特許請求の範囲及びそれらの均等な技術によって定義される保護の範囲に包含されるものであり限り、これらの修正及び変形を包含することが意図される。
【図１】
0006517222.tif 000022
【図２】
0006517222.tif 000023
【図３】
0006517222.tif 000024
【図４】
0006517222.tif 000025
【図５】
0006517222.tif 000026
【図６】
0006517222.tif 000027
【図７】
0006517222.tif 000028